(57)【要約】【課題】単一の羽板毎に設置位置を調整することができる天井ルーバーの設置構造を得る。【解決手段】天井ルーバー４０は、天井面２８に固定されたレール４２と、レール４２の延在方向に沿って設けられた係合部５０Ｃを含んで構成されている。また、係合部５０Ｃには、ボルト５６が係合されると共に、レール４２の延在方向に沿って摺動可能に支持されている。更に、各ボルト５６には単一の羽板６２が固定されている。これにより、ボルト５６を介して、レール４２から複数の羽板６２が吊り下げられている。【選択図】図１
2020176450.tif 000002
【特許請求の範囲】
【請求項１】
天井面に固定され、延在方向に沿って設けられた係合部を備えるレールと、
前記係合部に係合すると共に、前記レールの延在方向に沿って摺動可能に支持された複数の吊り部材と、
前記吊り部材に固定されることにより、前記レールから吊り下げられた複数の羽板と、
を備える天井ルーバーの設置構造。
【請求項２】
前記吊り部材には、前記係合部に対する摺動を規制し、前記吊り部材を前記係合部に対して所定の位置に固定可能な規制部材が取り付けられている、
請求項１に記載の天井ルーバーの設置構造。
【請求項３】
前記係合部は前記レールの内部に配置されると共に前記レールによって摺動可能に支持されたインナレールの下面に形成されており、
前記吊り部材は前記係合部に係合されると共に前記インナレールに対して摺動可能に支持されている、
請求項１又は請求項２に記載の天井ルーバーの設置構造。
【請求項４】
前記レール又は前記インナレールの少なくとも一方に前記レールの延在方向に沿って配置された突起部が形成され、
前記インナレールは、前記突起部を介して前記レールに支持されている、
請求項３に記載の天井ルーバーの設置構造。
【請求項５】
前記係合部は前記レールの下面に形成されており、
前記吊り部材は前記係合部に係合されると共に前記レールに対して摺動可能に支持されている、
請求項１又は請求項２に記載の天井ルーバーの設置構造。
【請求項６】
前記レールが固定された前記天井面は居室に隣接する廊下の天井面とされ、
前記レールは、前記廊下の長手方向に沿って延在しており、
前記天井面は、前記居室の居室天井面と連続的に設けられ、かつ、該居室天井面の天井高よりも高く設定されている、
請求項１〜請求項５に記載の天井ルーバーの設置構造。
【発明の詳細な説明】
【技術分野】
【０００１】
本発明は、天井ルーバーの設置構造に関する。
【背景技術】
【０００２】
特許文献１には、部材（固定ボルトとアングル材）を介して天井面にストリンガーを固定し、ストリンガーの延在方向（長手方向）に沿って所定の間隔を空けて複数の羽板が取り付けられた天井ルーバーの設置構成が開示されている。この天井ルーバーを構成する羽板は、ストリンガーの下部に延在方向に沿って複数形成されたＵ字形切欠きに係合されることにより、ストリンガーに固定されている。
【先行技術文献】
【特許文献】
【０００３】
【特許文献１】特開２０１３−２３８０６４号公報
【０００４】
しかしながら、上記先行技術では、羽板がＵ字形切欠きの位置で固定されることから、各羽板の配置はストリンガーの設計段階で定まる。従って、単一の羽板毎に設定位置を調整することができないため、現場毎に異なる天井面の構造に応じて羽板の間隔を調整したり、リフォーム時にデザイン変更したりする場合に制約が大きい。よって、上記先行技術は、この点において改善の余地がある。
【発明の概要】
【発明が解決しようとする課題】
【０００５】
本発明は上記事実を考慮し、単一の羽板毎に設置位置を調整することができる天井ルーバーの設置構造を得ることが目的である。
【課題を解決するための手段】
【０００６】
第１の態様に係る天井ルーバーの設置構造は、天井面に固定され、延在方向に沿って設けられた係合部を備えるレールと、前記係合部に係合すると共に、前記レールの延在方向に沿って摺動可能に支持された複数の吊り部材と、前記吊り部材に固定されることにより、前記レールから吊り下げられた複数の羽板と、を備えている。
【０００７】
第１の態様に係る天井ルーバーの設置構造では、各羽板が吊り部材を介して天井面に固定されたレールから吊り下げられている。ここで、吊り部材は、レールの延在方向に沿って設けられた係合部に対して摺動可能に係合されている。これにより、吊り部材を摺動させて係合部に対する相対的な位置を移動させることにより、単一の羽板毎に設定位置を調整可能とされている。
【０００８】
第２の態様に係る天井ルーバーの設置構造は、第１の態様に記載の構成において、前記吊り部材には、前記係合部に対する摺動を規制し、前記吊り部材を前記係合部に対して所定の位置に固定可能な規制部材が取り付けられている。
【０００９】
第２の態様に係る天井ルーバーの設置構造では、係合部に対して単一の羽板毎に設定位置を調整した後、規制部材を用いて羽板を係合部の所定の位置に固着させることができる。これにより、設置後における羽板の揺動等を抑制することができる。
【００１０】
第３の態様に係る天井ルーバーの設置構造は、第１の態様又は第２の態様に記載の構成において、前記係合部は前記レールの内部に配置されると共に前記レールによって摺動可能に支持されたインナレールの下面に形成されており、前記吊り部材は前記係合部に係合されると共に前記インナレールに対して摺動可能に支持されている。
【００１１】
第３の態様に係る天井ルーバーの設置構造では、吊り部材が、レールによって摺動可能に支持されたインナレールの下面に係合されて、インナレールに対して摺動可能となっている。すなわち、吊り部材の位置を調整して単一の羽板毎に設置位置を調整できると共に、インナレールをレールに対して摺動させて、天井ルーバー全体を天井面に対して所定の位置に移動させることができる。その結果、単一の羽板の位置調整に加えて天井ルーバー全体の位置決めを容易に行うことができるため、現場における施工性が向上される。
【００１２】
第４の態様に係る天井ルーバーの設置構造は、第３の態様に記載の構成において、前記レール又は前記インナレールの少なくとも一方に前記レールの延在方向に沿って配置された突起部が形成され、前記インナレールは、前記突起部を介して前記レールに支持されている。
【００１３】
第４の態様に係る天井ルーバーの設置構造では、インナレールが、レールの延在方向に沿って配置された突起部を介してレールに支持されている。これにより、インナレールの摺動時にレールとの間に発生する摩擦力を低減させることができ、インナレールをレールに対して容易に摺動させることができ、現場における施工性がより一層向上される。
【００１４】
第５の態様に係る天井ルーバーの設置構造は、第１の態様又は第２の態様に記載の構成において、前記係合部は前記レールの下面に形成されており、前記吊り部材は前記係合部に係合されると共に前記レールに対して摺動可能に支持されている。
【００１５】
第５の態様に係る天井ルーバーの設置構造では、吊り部材がレールの下面に形成された係合部に係合されて、摺動可能となっている。このように、吊り部材を摺動させる係合部がレールの下面に形成された簡単な構成とされているため、部材の点数を抑えつつ、簡単な構成で単一の羽板毎に設置位置を調整することができる。
【００１６】
第６の態様に係る天井ルーバーの設置構造は、第１の態様〜第５の態様の何れか１態様に記載の構成において、前記レールが固定された前記天井面は居室に隣接する廊下の天井面とされ、前記レールは、前記廊下の長手方向に沿って延在しており、前記天井面は、前記居室の居室天井面と連続的に設けられ、かつ、該居室天井面の天井高よりも高く設定されている。
【００１７】
第６の態様に係る天井ルーバーの設置構造では、羽板が吊り下げられたレールが、建物内の居室に隣接する廊下の天井面に固定されている。ところで、廊下の天井面を居室天井面と連続的に設け、廊下と居室との間を仕切る間仕切り壁を省略させて住空間の拡大を図る場合、居室と廊下を空間的に区画するための工夫が必要とされる。ここで、本態様では、廊下の長手方向に沿ってレールを延在させているため、廊下の長手方向に沿って天井ルーバーが延在されることになる。これにより、天井ルーバーが居室天井面と廊下の天井面に意匠的な違いを造り、天井面の境を明らかにしている。換言すると、天井ルーバーが間仕切りの役割を呈してフロア内に廊下と居室といった二つの空間を形成している。更に、天井ルーバーは居室天井面よりも天井高の高い天井面に固定されているため、廊下にいる居住者が必要以上に天井の低さを感じることなく過ごすことができるため、開放感を得つつ、住空間の拡大とフロアの間仕切りとを両立させることができる。
【発明の効果】
【００１８】
以上説明したように、第１の態様に係る天井ルーバーの設置構造によれば、単一の羽板毎に設置位置を調整することができ、施工時の制約を低減させることができるという優れた効果を有する。
【００１９】
第２の態様に係る天井ルーバーの設置構造によれば、設置後における羽板の揺動等を抑制することができるという優れた効果を有する。
【００２０】
第３の態様に係る天井ルーバーの設置構造によれば、単一の羽板の位置調整ができ、かつ、天井ルーバー全体の位置決めを容易に行うことが出来るため、現場における施工性を向上させることができるという優れた効果を有する。
【００２１】
第４の態様に係る天井ルーバーの設置構造によれば、インナレールをレールに対して容易に摺動させることができるという優れた効果を有する。
【００２２】
第５の態様に係る天井ルーバーの設置構造によれば、部材の点数を抑えつつ、簡単な構成で単一の羽板毎に設置位置を調整することができるという優れた効果を有する。
【００２３】
第６の態様に係る天井ルーバーの設置構造によれば、天井ルーバーによって、住空間を拡大しつつ、フロアの空間を間仕切りすることができるという優れた効果を有する。
【図面の簡単な説明】
【００２４】
【図１】第１実施形態に係る天井ルーバーを図３の１−１線に沿って切断した状態を示す部分拡大断面図である。
【図２】第１実施形態に係る天井ルーバーを図３の２−２線に沿って切断した状態を示す部分拡大断面図である。
【図３】第１実施形態に係る天井ルーバーの設置構造が適用された建物本体の上階部分の間取り図である。
【図４】図３に示される天井ルーバーをリビング側から見た斜視図である。
【図５】第２実施形態に係る天井ルーバーの設置構造を示す図１に対応する部分拡大断面図である。
【発明を実施するための形態】
【００２５】
〔第１実施形態〕
以下、図１〜図４を用いて、第１実施形態に係る天井ルーバー４０の設置構造が適用された建物１０について説明する。図３には、建物本体１２の上階部分１２Ａの間取り図が示されている。また、図４には、上階部分１２Ａのフロアの一部がリビング２４側から見た斜視図で示されている。
【００２６】
これらの図に示されるように、建物１０は、一例として、複数階建ての住宅とされており、平面視で南北に長い直方体状をなす建物本体１２を備えている。建物本体１２の上階部分１２Ａには、西側の一側に沿って建物本体１２の長手方向の中央に階段１４が設けられている。階段１４は、建物本体１２の図示しない下階部分と上階部分１２Ａとを繋いでおり、一例として、回り階段とされている。階段１４は、昇降方向の上端部（下がり口）が上階部分１２Ａの西側の一側に配置されている。また、階段１４に隣接して、建物本体１２の長手方向に沿って延びる廊下１６が設けられている。なお、階段１４と廊下１６の間には、上階部分１２Ａの床から鉛直上方に立設された格子壁１８が形成されており、階段１４と廊下１６の空間を仕切ると共に、格子壁１８を通して反対側の空間の一部を視認可能とされている。
【００２７】
廊下１６の東側には、廊下１６と隣接してキッチン２０、ダイニング２２、リビング２４が建物本体１２の北側からこの順に形成されている。建物１０では、これらの居室（キッチン２０、リビング２４、ダイニング２２）としての空間と廊下１６との境に間仕切壁を設けない構成とし、居室空間の拡大を図る構成となっている。また、リビング２４等で過ごす居住者が、隣接する廊下１６及び階段１４側への空間の広がりを感じることにより、開放感を得ることのできる構造とされている。
【００２８】
一方、図４に示されるように、建物１０では、廊下１６と居室空間とを構造的に区画するために、廊下１６と居室空間に跨る天井面に段差部２６を設け、廊下１６の天井高と居室空間の天井高が異なる構造にしている。具体的に説明すると、段差部２６は、平面視で建物本体１２の略中央を南北方向に沿って延在し、廊下１６と居室空間との境に形成されている（図３参照）。そして、段差部２６を境に西側に位置する廊下１６の天井面２８が、居室空間側の居室天井面３０よりも高くなるように形成されている。更に、廊下１６と居室との境を明らかにさせるために、天井面２８に廊下１６の長手方向に沿って天井ルーバー４０を延在させている。
【００２９】
（本発明の要部）
図１、図３、図４に示されるように、天井ルーバー４０は、一対のレール４２と、レール４２と連結された吊り部材としてのボルト５６と、ボルト５６に支持された複数の羽板６２を含んで構成されている。
【００３０】
（レール４２）
図１及び図３に示されるように、一対のレール４２は、所定の間隔を空けて互いに略平行となるように配置され、廊下１６の長手方向に沿って延在している。各レール４２は、縦断面視で略水平に延在する上面部４２Ａと、上面部４２Ａの幅方向両端部から建物下方側へ延在する側面部４２Ｂによって建物下方側へ開口された略コ字状の開断面を有している。また、レール４２は、側面部４２Ｂの下端部から開断面の内側へ直角に屈曲された下フランジ部４２Ｃを有している。これにより、レール４２の下面には、一対の下フランジ部４２Ｃの間にレール４２の延在方向に沿って長尺状をなすアウタ開口部４４が形成されている。
【００３１】
更に、レール４２の下フランジ部４２Ｃには、上面かつ開断面の内側端部から建物上方側に突出したアウタ突起４６が形成されている。アウタ突起４６は、レール４２の延在方向に沿って線状に延びており、後述するインナレール５０の係合部５０Ｃと線接触する構成となっている。なお、アウタ突起４６は本発明における「突起部」に含まれる。
【００３２】
上記構成のレール４２は、上面部４２Ａに建物下方側からビス４８が打ち込まれることにより、天井面２８に固定されている。
【００３３】
（インナレール５０）
一対のレール４２の内部には、インナレール５０がそれぞれ配置されている。インナレール５０は、レール４２の延在方向を長手方向とした長尺状をなし、レール４２に対して摺動可能に支持されている。また、インナレール５０は、長手方向の寸法がレール４２の長手方向の寸法よりも短い寸法とされている。
【００３４】
インナレール５０は、縦断面視でレール４２よりも一回り小さい開断面を有しており、略水平に延在するインナ上面部５０Ａと、インナ上面部５０Ａの幅方向両端部から建物下方側へ延在するインナ側面部５０Ｂによって建物下方側に開口されている。また、インナレール５０は、一対のインナ側面部５０Ｂの下端部から開断面の内側へ直角に屈曲された係合部５０Ｃを有している。この係合部５０Ｃは、インナレール５０の下面を構成し、レール４２の延在方向に沿って延びている。これにより、一対の係合部５０Ｃの間にレール４２の延在方向に沿って長尺状をなすインナ開口部５２が形成されている。当該インナ開口部５２は、上述したアウタ開口部４４と対向する位置に設けられると共に、一対の係合部５０Ｃ間の寸法（インナ開口部５２の開口幅寸法Ｗ１）が下フランジ部４２Ｃ間の寸法よりも小さくなる構成となっている。
【００３５】
更に、インナレール５０の係合部５０Ｃには、下面かつ開断面の外側端部から建物下方側に突出されたインナ突起５４が形成されている。インナ突起５４は、上述したアウタ突起４６の外側でレール４２の延在方向に沿って線状に延びており、レール４２の下フランジ部４２Ｃと線接触する構成となっている。なお、インナ突起５４は、本発明における「突起部」に含まれる。
【００３６】
上記構成によれば、インナレール５０は、アウタ突起４６とインナ突起５４を介してレール４２の下フランジ部４２Ｃに支持されている。また、アウタ突起４６とインナ突起５４によってレール４２とインナレール５０とが線接触しているため、両者の間に発生する摩擦力が低減される。このため、レール４２に対してインナレール５０を滑らかに摺動させることができる構成となっている。
【００３７】
（ボルト５６）
図２に示されるように、インナレール５０の係合部５０Ｃには、吊り部材としてのボルト５６が係合されている。具体的には、ボルト５６の頭部５６Ａが、ワッシャ５８を介装させた状態で、係合部５０Ｃの上面に載置されている。このため、頭部５６Ａ及びワッシャ５８が係合部５０Ｃに係合し、ボルト５６が脱落しない構成とされている。この状態では、ボルト５６の軸部５６Ｂは、インナ開口部５２とアウタ開口部４４を貫通した状態で建物下方側へ垂下されている。なお、本実施形態では、頭部５６Ａの外径寸法Φ１が、ワッシャ５８の外径寸法Φ２と同様にインナ開口部５２の開口幅寸法Ｗ１よりも大きい寸法とされている。このため、係合部５０Ｃと頭部５６Ａの間にワッシャ５８を介装しない構成としてもよい。
【００３８】
（ナット６０）
また、このボルト５６の軸部５６Ｂには、係合部５０Ｃを挟んで規制部材としてのナット６０が螺合されている。また、係合部５０Ｃとナット６０の間には、ワッシャ５８が改装されている。これにより、ボルト５６に対してナット６０を緩めた状態では、ボルト５６の頭部５６Ａを係合部５０Ｃに係合させたままボルト５６をレール４２(インナ開口部５２)の延在方向に沿って摺動させることができる。一方、ボルト５６に対してナット６０を締め込んだ状態では、ボルト５６を係合部５０Ｃの延在方向に沿っての所定の位置に固着させることができる。このようにして、単一の羽板６２の設置位置を、レール４２の延在方向に沿って変更可能とされている。
【００３９】
（羽板６２）
図１及び図２に示されるように、ボルト５６の軸部５６Ｂの下端部には、羽板６２が固定されている。羽板６２は、レール４２の延在方向と略直交する方向を長手方向として配置された長尺な板体状をなしている。また、羽板６２の長手方向の寸法は、建物１０の廊下１６の幅寸法と同程度とされている（図３参照）。
【００４０】
羽板６２は、長手方向の両端部に位置する上面が、一対のレール４２からそれぞれ垂下されたボルト５６の軸部５６Ｂに固定されている、これにより、ボルト５６を介して、羽板６２がレール４２から吊り下げられている。
【００４１】
上記構成の羽板６２は、レール４２の延在方向に沿って所定の間隔を空けて複数配置されている。これにより、建物１０の天井面２８は、廊下１６の長手方向に沿って複数の羽板６２が吊り下げられたデザインとされている。
【００４２】
本実施形態では、各羽板６２同士の間隔は略一定に設定されている。また、各羽板６２は、廊下１６の長手方向に沿って天井面２８に設けられた複数のスポット照明６４と重ならないように配置されている。換言すると、一対の羽板６２間に、単一のスポット照明６４が配置されている。これにより、羽板６２によってスポット照明６４の光が遮られることを抑制すると共に、照明の光を羽板６２の側面で反射させることにより、天井面２８に装飾的な照明効果が付与されている。このようにして、建物１０では、廊下１６の天井面２８と居室側の居室天井面３０に全く異なる意匠性が付与される構成となっている。更に、スポット照明６４の両側の羽板６２によって床面に降りる照明の光がしぼられるため、廊下１６の床面に居室側の床面と異なる装飾的効果を与えている。このため、より一層、廊下１６の存在を浮き立たせる構造となっている。なお、図４では、羽板６２の側面に当たったスポット照明６４の光を符号Ｌ１で模式的に示し、床面に降りたスポット照明の光を符号Ｌ２で模式的に示している。
【００４３】
（作用・効果）
次に、本実施形態の作用並びに効果について説明する。
【００４４】
図２に示されるように、本実施形態の天井ルーバー４０は、複数の羽板６２が、ボルト５６を介して天井面２８に固定されたレール４２から吊り下げられている。具体的には、レール４２の内部にインナレール５０が摺動可能に配置されている。このインナレール５０の下面に形成されたインナ開口部５２にボルト５６の頭部５６Ａが係合されているため、ボルト５６の軸部５６Ｂの下端部に固定された羽板６２をレール４２から吊り下げることができる。
【００４５】
また、上記構成の天井ルーバー４０は、天井面２８に一対のレール４２を固定した後、レール４２の一端からインナレール５０を挿入し、予め羽板６２を固定したボルト５６の頭部５６Ａをレール４２及びインナレール５０の一端から挿入し、インナレール５０の内部に配置することにより施工が完了する。この状態では、羽板６２の自重によってボルト５６の頭部５６Ａがインナレール５０の下面（係合部５０Ｃ）に当接する。これにより、羽板６２が、その自重によって、インナレール５０に対する所定の位置に固定される。この際、ナット６０を締め込むことにより、羽板６２をインナレール５０に対して固着させることができる。
【００４６】
また、羽板６２を再び移動させたい場合は、ナット６０を緩めた状態にし、建物下方側から羽板６２を持ち上げてボルト５６の頭部５６Ａをインナレール５０から浮かせて、インナ開口部５２の延在方向に沿って羽板６２を移動させることができる（図２に示す矢印Ｓ１方向参照）。
【００４７】
このように、本実施形態では、吊り部材としてのボルト５６がレール４２の延在方向に沿って設けられた係合部５０Ｃに対して摺動可能に係合されている。これにより、ボルト５６を摺動させて係合部５０Ｃに対する相対的な位置を移動させることにより、単一の羽板６２毎に設定位置を調整することができる。その結果、天井照明の位置等、建築地によって異なる天井部の構造に対応して現場で羽板６２を最適な位置に設定することができ、部材の汎用性及び施工性を高めることができる。
【００４８】
また、本実施形態では、ボルト５６に螺合されたナット６０を締め込むことにより、羽板６２をインナレール５０（インナ開口部５２）の所定の位置に固着させることができる。これにより、設置後における羽板６２の揺動等を抑制することができる。
【００４９】
また、本実施形態では、インナレール５０がレール４２に対して摺動可能に配置されている（図２に示す矢印Ｓ２方向参照）。このため、インナレール５０に対して羽板６２を設置した後に、インナレール５０をレール４２に対して移動させることにより、天井面２８に対する羽板６２全体の設定位置を容易に調整することができる。これにより、単一の羽板６２の位置調整に加えて天井ルーバー４０全体の位置決めを容易に行うことができるため、現場における施工性を一層向上させることができる。
【００５０】
また、本実施形態では、レール４２とインナレール５０に、それぞれレール４２の延在方向に沿って線状に延びるアウタ突起４６及びインナ突起５４が形成されている。このため、インナレール５０がアウタ突起４６及びインナ突起５４を介してレール４２に支持されている。これにより、インナレール５０とレール４２が線接触し、両者間に生じる摩擦を低減させることができる。その結果、インナレール５０をレール４２に対して容易に摺動させることができ、現場における施工性をより一層向上させることができる。
【００５１】
更に、一対の係合部５０Ｃにそれぞれ形成された一対のインナ突起５４の内側（インナレール５０の開断面の内側）に、レール４２の下フランジ部４２Ｃに形成された一対のアウタ突起４６が配置されている。これにより、施工時の揺れ等により、インナレール５０が延在方向と直交する方向に揺動した際に、アウタ突起４６がストッパとなって、レール４２の内部でインナレール５０の位置が大幅にずれてしまうことが抑制される。その結果、羽板６２の調整時にボルト５６の軸部５６Ｂがインナ開口部５２の縁に干渉することを避けることができ、ボルト５６の姿勢を安定させて位置調整の施工性を向上させることができる。
【００５２】
また、本実施形態の天井ルーバー４０が設置された建物１０では、居室（キッチン２０、ダイニング２２、リビング２４）とこれに隣接する廊下１６との間を仕切る間仕切り壁を省略させて住空間の拡大を図っている。
【００５３】
一方、このように居室と非居室である廊下１６とを区画するために、廊下の長手方向に沿ってレールを延在させ、廊下１６の長手方向に沿って複数の羽板６２が吊り下げられた構造とされている。すなわち、廊下１６の天井面２８に天井ルーバー４０を延在させて、居室と廊下１６の天井面２８に意匠的な違いを造り、天井面の境を明らかにしている。換言すると、天井ルーバー４０が間仕切りの役割を呈してフロア内に廊下１６と居室といった二つの空間を形成している。更に、天井ルーバー４０は、居室天井面３０よりも天井高の高い天井面２８に固定されているため、廊下１６にいる居住者が必要以上に天井の低さを感じることなく過ごすことができる。これにより、開放感を得つつ、住空間の拡大とフロアの間仕切りとを両立させることができる。
【００５４】
〔第２実施形態〕
以下、図５を用いて、第２実施形態に係る天井ルーバー７０について説明する。なお、前述した第１実施形態と同一構成部分については、同一番号を付してその説明を省略する。本実施形態では、レール４２の下面に形成された下フランジ部４２Ｃを本発明における「係合部」としている点に特徴がある。
【００５５】
すなわち、図５に示されるように、本実施形態では、レール４２の内部に第１実施形態におけるインナレール５０が配置されない構成とされ、レール４２の下面に形成された下フランジ部４２Ｃにボルト５６の頭部５６Ａが係合されている。すなわち、本実施形態では、レール４２の下フランジ部４２Ｃが、第１実施形態における係合部５０Ｃに相当する構成とされている。これにより、複数の羽板６２がレール４２に対して摺動可能に吊り下げられている。なお、本実施形態においても、ボルト５６の頭部５６Ａとレール４２の下フランジ部４２Ｃとの間、及び、下フランジ部４２Ｃとナット６０との間にワッシャ５８が介装されている。なお、本実施形態では、レール４２がアウタ突起４６を備えない構成とされている。
【００５６】
（作用・効果）
上記構成の天井ルーバー７０は、基本的には第１実施形態に係る天井ルーバー４０の構成を踏襲しているため、同様の作用及び効果を得ることができる。
【００５７】
また、本実施形態では、羽板６２が固定されたボルト５６の頭部５６Ａが、レール４２の下面に形成された下フランジ部４２Ｃに係合すると共に、摺動可能に支持されている。このように、本発明における「係合部」に相当し、ボルト５６を摺動させる構成がレール４２に形成された簡単な構成とされているため、部材の点数を抑えつつ、簡単な構成で単一の羽板６２毎に設置位置を調整することができる。
【００５８】
[補足説明]
上記各実施形態では、吊り部材としてのボルト５６に規制部材としてのナット６０を螺合させる構成としたが、本発明はこれに限らずナット６０を備えない構成としてもよい。また、本発明における吊り部材をボルト５６によって構成したが、本発明はこれに限らずレールに対し、レールの延在方向に沿って摺動可能に吊り下げられる部材であればよい。
【００５９】
上記各実施形態ではレール４２とインナレール５０の双方に突起部を設けたが、これに限らず、突起部をアウタ突起４６のみで構成してもよく、インナ突起５４のみで構成してもよい。また、アウタ突起４６とインナ突起５４を設けない構成としてもよい。
【００６０】
また上記各実施形態では、アウタ突起４６とインナ突起５４が、レール４２の延在方向に沿って線状に延びる構成としたが本発明はこれに限らない。アウタ突起４６とインナ突起５４が、レール４２の延在方向に沿って複数配置される半球状の突起部で構成してもよい。つまり、アウタ突起が、レール４２の下フランジ部４２Ｃの上面から建物上方側に突出し、レール４２の延在方向に沿って配置された複数の半球状突起として形成される構成でもよい。また、インナ突起が、係合部５０Ｃの下面から建物下方側に突出し、レール４２の延在方向に沿って配置された複数の半球状突起として形成される構成でもよい。
【符号の説明】
【００６１】
１６    廊下
２０    キッチン（居室）
２２    ダイニング（居室）
２４    リビング（居室）
２８    天井面
３０    居室天井面
４０    天井ルーバー
４２    レール
４２Ｃ  下フランジ部（係合部）
４６    アウタ突起（突起部）
５０    インナレール
５０Ｃ  インナ下フランジ部（係合部）
５４    インナ突起（突起部）
５６    ボルト（吊り部材）
６０    ナット（規制部材）
６２    羽板
【図１】
2020176450.tif 000003
【図２】
2020176450.tif 000004
【図３】
2020176450.tif 000005
【図４】
2020176450.tif 000006
【図５】
2020176450.tif 000007